(57)【特許請求の範囲】
【請求項１】
透液性トップシートと不透液性バックシートとの間に吸収体が介在され、かつ身体の体液排出口または下着への対応位置を特定する、固定用ウイング、エンボス、フィットカット、吸収体中高部のいずれか、またはこれら１以上の組合せからなる特定構造部を有する昼用生理用ナプキンにおいて、
前記特定構造部中心より腹側前端部までの長さを前記特定構造部中心より背側後端部までの長さよりも長くするとともに、前記特定構造部中心より背側後端部までの長さは８０mm以上としたことを特徴とする前漏れ防止効果の高い生理用ナプキン。
【発明の詳細な説明】
【０００１】
【発明の属する技術分野】
本発明は、経血やおりものなどを吸収するための生理用ナプキン、パンティライナー、失禁パッド等に係り、特に前漏れ防止効果の高い昼用の生理用ナプキンに関する。
【０００２】
【従来の技術】
従来より、パンティライナー、生理用ナプキン、失禁パッドなどの吸収性物品としては、ポリエチレンシートまたはポリエチレンシートラミネート不織布などの不透液性バックシートと、不織布または透液性プラスチックシートなどの透液性トップシートとの間に綿状パルプ等からなる吸収体を介在したものが知られている。
【０００３】
この種の吸収性物品にも幾多の改良が重ねられ、着用時間帯、すなわち就寝時間帯や起床時間帯など、着用者の姿勢状態に応じて効率的に体液等を吸収し得る構造のものが種々提案されている。たとえば、特開平2-193664号公報では、図６に示されるように、主に就寝時間帯において臀部側からの後漏れを効果的に防止出来るように、吸収性物品５０の縦方向中心から偏倚した位置に可撓性の耳片（固定用ウイング）５１、５１を延出させるようにしたものが提案されている。この場合、吸収性物品５０を縦方向に二等分する中心線Ｌ１と、耳片５１の縦方向に二等分する中心線Ｌ２とは少なくとも１０mm以上遊離させるようにしている。装着に際しては、前記耳片５１形成位置に対応する吸収体部位５２ａを身体の排血口部に当てるようにし、相対的に排血口から臀部側を覆う吸収体面積を多くすることで後漏れが防止される。この構造は、現在、市場に提供されている夜用吸収性物品において多く採用されている。
【０００４】
【発明が解決しようとする課題】
しかしながら、就寝時間帯の姿勢が常に仰向けであるならば、上記構造の吸収性物品により経血漏れは防止できるが、横向き状態やうつ伏せ状態で寝ることを常習としている女性や、就寝中の寝返りによって横向き状態やうつ伏せ状態となる場合には、経血漏れを防止できないことがあった。すなわち、女性は、人体の構造上、仰向け状態では排血口の方向は斜め上方を向くようになっているため、仰向け状態では経血が出づらく、また排血があっても排血口から後方側に長い吸収体によって吸収されることになる。しかし、うつ伏せ姿勢や横向き姿勢になると、排血口の方向が下向きまたは水平となるため、経血が排出され易く、かつ吸収体の配置位置が前漏れに対して配慮されていないため、経血漏れが起き易いことに原因があった。
【０００５】
一方、昼間の行動時間帯は、着席姿勢や起立姿勢を頻繁に繰り返すことになるが、この姿勢切り替えの際に前屈みになることが多く前漏れすることがあった。本発明者等の調査によれば、このような前漏れに対処するために、女性等は下着のクロッチ部に対して前寄りに装着することで個別に対応していたが、近年の吸収性物品は装着性や漏れ防止のために、ウイング付きやフィットカットなど下着に対する装着位置が半ば指定されているものが多く、上記対応が出来ないものとなっている。
【０００６】
そこで本発明の主たる課題は、昼用生理用ナプキンにおいて、前漏れをも確実に防止できるようした吸収性物品を提供することにある。
【０００７】
【課題を解決するための手段】
前記課題を解決するための本発明として、透液性トップシートと不透液性バックシートとの間に吸収体が介在され、かつ身体の体液排出口または下着への対応位置を特定する、固定用ウイング、エンボス、フィットカット、吸収体中高部のいずれか、またはこれら１以上の組合せからなる特定構造部を有する昼用生理用ナプキンにおいて、
前記特定構造部中心より腹側前端部までの長さを前記特定構造部中心より背側後端部までの長さよりも長くするとともに、前記特定構造部中心より背側後端部までの長さは８０mm以上としたことを特徴とする前漏れ防止効果の高い生理用ナプキンが提供される。
【０００８】
本発明は、昼用生理用ナプキンに係る本構造の前漏れ防止効果の高い吸収性物品であり、着席姿勢および起立姿勢時には、後漏れに配慮するよりは、姿勢切り替え時に前屈みとなって前漏れの可能性がむしろ高いことから、体液排出口相応位置から腹側前端部までの長さを相対的に長くする。但し、着席姿勢で排血口から臀部（着席重心位置）までの距離区間では後漏れが起こることがあるため、前記特定構造部中心より背側後端部までの長さは８０mm以上確保する。
【０００９】
【発明の実施の形態】
以下、本発明の実施の形態について図面を参照しながら詳述する。
【００１０】
〔参考形態例〕
図１は本発明の参考形態例に係る生理用ナプキン１Ａの展開図であり、図２は図１のII−II線矢視図、図３は図１のIII−III線矢視図である。
【００１１】
前記生理用ナプキン１Ａは、言わば夜用生理用ナプキンの例で、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４と、この吸収体４の形状保持および拡散性向上のために前記吸収体４を囲繞するクレープ紙５と、前記吸収体４の両側縁部を起立基端とし、かつ少なくとも排血口対応部１０から前後方向に所定の区間内において表面側に突出して設けられた左右一対の立体ギャザー６，６とから構成され、前記吸収体４の周囲において、その上下端縁部では、前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と、前記立体ギャザー６を形成している不織布９とがホットメルトなどの接着剤やヒートシール等の接着手段によって接合され、これら不透液性バックシート２と立体ギャザー形成不織布９とによる複合シート部分によって側方に突出する第１ウイング７、７が形成されているとともに、これよりも背側に位置する部分に第２ウイング８、８が形成されている。
【００１２】
以下、さらに前記生理用ナプキン１Ａの構造について詳述すると、前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００１３】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース不織布は柔軟性、ドレープ性に富む点で優れ、サーマルボンド法は嵩高でソフトである点で優れている。
【００１４】
前記透液性トップシート３に多数の透孔を形成した場合には、経血やおりもの等（以下、まとめて体液という。）が速やかに吸収されるようになり、ドライタッチ性に優れたものとなる。なお、この場合には、本例のように、吸収体４を囲繞するクレープ紙５を設け、結果的に透液性トップシート３と吸収体４との間にクレープ紙５が介在するようにすれば、吸収性に優れる前記クレープ紙５によって体液を速やかに拡散させるとともに、これら経血等の逆戻りを防止するようになる。
【００１５】
透液性トップシート３面には、排血口対応部１０を山状に膨出させるため、および吸収した体液を封じ込めるため等のために溝状のサイドエンボス１１，１２…が形成されている。サイドエンボス１１は、前部側に形成された半円弧状エンボスの両サイドから連続して形成された、平面的に内側に突出する弧状のエンボス線であり、サイドエンボス１２はサイドエンボス１１の外側に形成された平面的に内側に突出する弧状のエンボス線である。前記サイドエンボス１１は、さらに後方側まで延長され、さらに臀部位置には前記サイドエンボス１１，１２とは別に、平面的に中心側に突出する弧状のバックエンボス１３が形成されている。
【００１６】
前記透液性トップシート３の幅寸法は、図示例では、図２および図３の横断面図に示されるように、吸収体４の幅よりも若干長めとされ、吸収体４を覆うだけに止まり、前記立体ギャザー６は前記透液性トップシート３とは別のギャザー形成用不織布９、具体的には経血やおりもの等が浸透するのを防止する、あるいは肌触り感を高めるなどの目的に応じて、適宜の撥水処理または親水処理を施した不織布素材を用いて構成されている。かかるギャザー形成用不織布９としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１８〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００１７】
前記ギャザー形成用不織布９は、図２および図３に示されるように、一方側側部（内方がわ側部）を吸収体４の内側位置から吸収体側縁を若干越えて不透液性バックシート２にかかる範囲に亘ってホットメルトなどの接着剤によって接着し、前記吸収体４の内側位置を起立基端とした二重シートによって所定長さの突出部を形成した後、これより外方側不織布シートを不透液性バックシート２の外縁まで延在している。図示の例では、前記ギャザー形成用不織布９と不透液性バックシート２との積層シート部分により、ほぼ体液排出口１０に相当する吸収体側部位置に左右一対の第１ウイング７、７を形成するとともに、これより臀部側位置に第２ウイング８、８を形成している。これら第１ウイング７、７および第２ウイング８、８の外面側には粘着部（図示せず）を備え、図４に示されるように、ショーツ３０に対する装着時に、折返し線１４位置にて反対側に折返し、ショーツのクロッチ部分に巻き付けて止着するようになっている。
【００１８】
前記二重シートによる起立部の内部には、その先端部に、両端または長手方向の適宜の位置が固定された第１弾性伸縮部材１５が配設されるとともに、中間部に、同じく両端または長手方向の適宜の位置が固定された第２弾性伸縮部材１６が配設され、これら第１および第２弾性伸縮部材１５，１６の収縮作用によって表面側に起立する立体ギャザー６，６が形成されている。前記弾性伸縮部材は先端部に１本だけ配設するようにしてもよいが、好ましくは肌への当たりを和らげるとともに、効果的に起立させるために複数本配設するようにし、個々の弾性伸縮部材の弾性強度を弱めに設定することが望ましい。また、前記突出部は図２に示されるように、体液排出口１０を境に前後方向に所定の区間範囲において起立させるようにし、前後端部区間では図３に示されるように、折り畳んで積層した状態で吸収体４側に接着している。
【００１９】
かかる生理用ナプキン１Ａの場合には、排血口対応部１０の位置は、サイドエンボス１１，１２の形成位置および第１ウイング７の形成位置によって特定されることになる（以下、特定構造部という。）が、この特定構造部の中心１７より腹側前端部までの長さＦＬを１２５mm以上とし、かつ前記特定構造部の中心１７より腹側前端部までの長さＦＬよりも前記特定構造部の中心より背側後端部までの長さＢＬを長くしている。特定構造部の中心１７より腹側前端部までの長さＦＬを１２５mm以上確保するようにすると、たとえ就寝時間帯に横向き姿勢やうつ伏せ姿勢となっても効果的に前漏れを防止することが可能となる。なお、前記特定構造部中心１７より腹側前端部までの長さＦＬが１２５mm未満の場合には、個人差によって前漏れを防止し得ないケースが生じてくることが知見されている。
【００２０】
また、当然に就寝時間帯には、後漏れも同時に防止することが必要になるため、前記特定構造部中心１７より腹側前端部までの長さＦＬ：前記特定構造部中心１７より背側後端部までの長さＢＬ＝１：１．０４〜３、すなわち前記特定構造部中心１７より背側後端部までの長さＢＬは１３０mm〜３７５mmの範囲とするのが望ましい。就寝時に後漏れを効果的に防止するには、少なくとも排血口対応部１０から後方側に１３０mm以上の長さが必要で、その最大長はショーツの胴回りからはみ出さない程度とする必要があることから３７５mm以内とされる。
【００２１】
ところで本例では、前記特定構造部は、サイドエンボス１１，１２の形成位置および第１ウイング７の形成位置によって明確に特定されているが、前記特定構造部は、外観的に排血口または下着に対応する部分であることを示す構造であればどのような構造であってもよく、具体的には他に、フィットカットや吸収体中高部などを挙げることができる。
【００２２】
〔本形態例〕
次いで、図５に示される本形態例に係る生理用ナプキン１Ｂは、言わば昼用生理用ナプキンの例で、その主たる構造は、第１形態例と同様、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４と、この吸収体４の形状保持および拡散性向上のために前記吸収体４を囲繞するクレープ紙５と、前記吸収体４の両側縁部を起立基端として少なくとも排血口対応部において表面側に突出して設けられた左右一対の立体ギャザー６，６と、両側部に設けられた左右一対のウイング１８，１８とから構成されている。これらの詳細構造については、第１形態例と同様であるため同符号を付して説明は省略する。
【００２３】
かかる生理用ナプキン１Ｂの場合には、装着者の姿勢は、着席または起立状態が常であるから、後漏れに対する配慮は薄れ、むしろ着席または起立を頻繁に繰り返す際に前屈みになるため、前漏れに重点をおいたナプキン形状とする必要がある。
【００２４】
そこで、前記ウイング１８およびサイドエンボス１１とによって特定される特定構造部中心１７より腹側前端部までの長さＦＬを前記特定構造部中心１７より背側後端部までの長さＢＬよりも長くしている。この場合、昼間であっても着席時などには経血がある程度、後方側に流れ出ることも予想されるため、後漏れを確実に防止するために前記特定構造部中心１７より背側後端部までの長さＢＬは８０mm以上確保するのがよい。したがって、特定構造部中心１７より腹側前端部までの長さＦＬは８０mmを超える長さ寸法とされる。ここで、前記特定構造部中心１７より背側後端部までの長さＢＬを８０mm以上とするのは、着席状態で排血口から臀部（着席時の重心位置）までの距離がほぼ４０〜６０mmであり、これに漏れ防止のための余裕を２０〜３０mm考慮したためである。
【００２５】
【発明の効果】
以上詳説のとおり本発明によれば、行動時において、後漏れはもちろんのこと、前漏れをも確実に防止できるようになる。また、前側を長くすることで前漏れに対する安心感が増すようになるとともに、装着時の目印となるウイング等の位置が、より明確になり装着し易くなる。
【図面の簡単な説明】
【図１】  本発明の参考形態例に係る生理用ナプキン１Ａの展開図である。
【図２】  図１のII−II線矢視図である。
【図３】  図１のIII−III線矢視図である。
【図４】  ナプキンの装着状態を示す斜視図である。
【図５】  本発明の形態例に係る生理用ナプキン１Ｂの展開図である。
【図６】  従来の生理用ナプキン形状を示す展開図である。
【符号の説明】
１Ａ・１Ｂ…生理用ナプキン、２…不透液性バックシート、３…透液性トップシート、４…吸収体、５…クレープ紙、６…立体ギャザー、７…第１ウイング、８…第２ウイング、９…ギャザー形成用不織布、１０…排血口対応部、１１・１２…サイドエンボス、１４…折返し線、１５・１６…弾性伸縮部材、１７…特定構造部中心、ＦＬ…特定構造部中心から腹側前端部までの距離、ＢＬ…特定構造部中心から背側後端部までの距離
【図１】
0003816294.tif 000002
【図２】
0003816294.tif 000003
【図３】
0003816294.tif 000004
【図４】
0003816294.tif 000005
【図５】
0003816294.tif 000006
【図６】
0003816294.tif 000007